(57)【要約】      （修正有）【課題】照明角度調節可能な発光ダイオード灯具を提供する。【解決手段】ベース体１０と、２つの光源装置２０と、２つの接続装置３０と、一つの固定装置４０とを備える。ベース体の両端は導電部１１と組付け部１２とを有する。光源装置２０は、基板２１と、複数の発光ダイオード２２とを含み、複数の発光ダイオード２２は基板の一面に取り付けられ、光源装置は、基板の両端に形成されている少なくとも一つの第１接続部２３と第２接続部とを有する。接続装置がベース体の組付け部と光源装置の第１接続部との間に取り付けられているので、光源装置がベース体の組付け部に相対して回転し、その角度が９０度、または９０度以上になる。また、固定装置の両端がそれぞれ少なくとも２つの光源装置の第２接続部に接続されていることによって、少なくとも２つの光源装置がベース体の組付け部に相対して回転することを防げる。【選択図】図１
0003190186.tif 000002
【実用新案登録請求の範囲】
【請求項１】
照明角度調節可能な発光ダイオード灯具であって、
両端に形成されている導電部と、組付け部とを有するベース体と、
基板と、複数の発光ダイオードとを含み、前記複数の発光ダイオードが前記基板の一表面に設けられ、前記基板の両端には少なくとも一つの第１接続部と第２接続部とが形成されている、少なくとも２つの光源装置と、
前記ベース体の前記組付け部と前記光源装置の前記第１接続部との間に設けられ、前記光源装置を前記ベース体の前記組付け部に相対して回転させて、その角度を９０度、または９０度以上にする、少なくとも２つの接続装置と、
両端がそれぞれ少なくとも２つの光源装置の前記第２接続部に連結されて、少なくとも２つの光源装置が前記ベース体の前記組付け部に相対して回転することを防ぐ、少なくとも一つの固定装置とを備える照明角度調節可能な発光ダイオード灯具。
【請求項２】
前記基板から離れた前記光源装置の第２接続部の遠端には係合端が形成され、少なくとも一つの固定装置は胴体部と２つの固定部とを有し、前記２つの固定部はそれぞれ前記胴体部の両端に形成され、前記固定部には複数の係合溝が形成され、前記光源装置の第２接続部の係合端を前記固定装置の前記固定部が備える複数の係合溝のいずれかに係合させることにより、前記少なくとも２つの光源装置がベース体の組付け部に相対して回転することを防ぐことを特徴とする、請求項１に記載の照明角度調節可能な発光ダイオード灯具。
【請求項３】
前記少なくとも一つの固定装置の胴体部と前記固定部との間に９０度、または９０度以上の夾角が形成されていることを特徴とする、請求項２に記載の照明角度調節可能な発光ダイオード灯具。
【請求項４】
前記固定部の前記複数の係合溝は、等間隔に配列され、且つ互いに平行することを特徴とする、請求項２に記載の照明角度調節可能な発光ダイオード灯具。
【請求項５】
前記少なくとも一つの固定装置は２つの固定具を有し、前記２つの固定具は相対的に摺動するように連結されており、前記固定具の両端にはそれぞれ固定部と滑り溝が形成され、前記固定具の前記固定部は前記光源装置の前記第２接続部に固定され、前記固定装置の２つの滑り溝は互いに貫通されており、一つの固定組が前記２つの固定具の２つの滑り溝に挿入されていることにより、前記２つの固定具が勝手に摺動することを避けることを特徴とする、請求項１に記載の照明角度調節可能な発光ダイオード灯具。
【請求項６】
各固定具の固定部には固定穴が形成されており、前記固定装置は、少なくとも２つの締め付け具を含み、前記締め付け具は前記固定部の固定穴を通過した後、前記光源装置の前記第２接続部に係合されることを特徴とする、請求項５に記載の照明角度調節可能な発光ダイオード灯具。
【請求項７】
前記接続装置は可撓性材料で構成され、前記接続装置の両端はそれぞれ前記ベース体の前記組付け部と前記光源装置の前記第１接続部に接続されて、前記光源装置は前記ベース体の前記組付け部に相対して回転することができることを特徴とする、請求項１ないし６いずれかに記載の照明角度調節可能な発光ダイオード灯具。
【請求項８】
前記ベース体の前記組付け部は少なくとも４組の取付け穴を有しており、前記組付け部の一端には取付け穴が２つずつ形成され、前記光源装置は２つの前記第１接続部を有し、前記第１接続部には接続穴が形成され、前記接続装置にはそれぞれ２つの第１貫通穴と２つの貫通穴とが形成され、前記２つの第１貫通穴は前記接続装置の一端に形成され、前記２つの第２貫通穴は前記接続装置の他端に形成され、前記接続装置は２つの組付け具と２つの接続具とを含み、前記組付け具はねじであり、前記接続具はボルトであり、前記２つの組付け具は前記第１貫通穴を通過した後前記組付け部一端の前記２つの取付け穴に係合され、前記２つの接続具は前記光源装置の前記２つの第１接続部の前記２つの取付け穴を通過した後、２つの締め具に係合され、前記締め具は、雌ねじであることを特徴とする、請求項７に記載の照明角度調節可能な発光ダイオード灯具。
【請求項９】
前記接続装置は、第１枢接部と、第２枢接部と、軸具とを含み、前記接続装置の前記第１枢接部の一端は前記光源装置の前記第１接続部に接続され、前記接続装置の前記第２枢接部は前記ベース体の前記組付け部の周縁に形成され、前記軸具が前記第１枢接部と前記第２枢接部とに挿入されていることによって、前記光源装置が前記ベース体の前記組付け部に相対して回転することができることを特徴とする、請求項１ないし６いずれかに記載の照明角度調節可能な発光ダイオード灯具。
【請求項１０】
前記光源装置は、２つの第１接続部を有し、各第１接続部は接続穴を有し、各接続装置の第１枢接部は２つの締め付け穴を含み、各接続装置は２つの接続具をさらに含み、前記２つの接続具は前記光源装置の前記２つの第１接続部の２つの接続穴を通過した後、前記接続装置の前記第１枢接部の前記２つの締め付け穴に係合され、前記接続装置の前記第１枢接部は、前記２つの締め付け穴の反対端にある２つの枢支耳を有し、前記枢支耳は第１枢接穴を有し、前記第２枢接部は、前記２つの枢支耳の間に位置して第２枢接穴を有し、前記第２枢接穴と前記２つの第１枢接穴が貫通され、前記軸具が前記第１枢接部の前記２つの枢支耳の前記２つの第１枢接穴と前記第２枢接穴とに挿入されていることを特徴とする、請求項９に記載の照明角度調節可能な発光ダイオード灯具。
【考案の詳細な説明】
【技術分野】
【０００１】
本考案は主に灯具に関し、特に発光ダイオード（Ｌｉｇｈｔ−Ｅｍｉｔｔｉｎｇ  Ｄｉｏｄｅ，  ＬＥＤ）を光源とする照明角度調節可能な発光ダイオード灯具に関する。
【背景技術】
【０００２】
発光ダイオード（Ｌｉｇｈｔ−Ｅｍｉｔｔｉｎｇ  Ｄｉｏｄｅ，  ＬＥＤ）は、半導体材料で作られる固体の発光素子である。発光ダイオードの発光原理は、電気エネルギーを光エネルギーに変換して発光させることにある。発光ダイオードを製造するとき、まずは、例えば窒素（Ｎ）、リン（Ｐ）、ヒ素（Ａｓ）などのような化合物のＶ族元素と、例えばアルミアルミニウム（Ａｌ）、ガリウム（Ｇａ）、インジウム（Ｉｎ）などのようなＩＩＩ族元素を採用して、液相エピタキシ法（Liquid  Phase  Epitaxy，  ＬＰＥ）、または気相エピタキシャル成長法（Vapor  Phase  Epitaxy，  ＶＰＥ）などのようなプロセスにより、ＩＩＩ−Ｖ族化合物半導体を作る。例えば、リン化ガリウム（ＧａＰ）、またはヒ化ガリウム（ＧａＡｓ）からなる基板を製造する。次は、前記基板の正負極に電圧を印加する。電流を流すと、電子と電子孔とが結合される。このとき、電子が低価電子帯域に遷移し、過剰なエネルギーを光の形態で放出される。これによって、発光効果を達成する。
【０００３】
さらに、発光ダイオードは、待機時間（idling  time）が掛からず、応答速度がはやく、体積が小さく、省エネ性と振動耐性がよく、汚染が少なく、量産しやすく、高信頼性などのような長所を有している。また、応用の需要に応じて、きわめて小さい素子、または陳列式素子に作ることができる。また、基板上の化学物質を改変することにより、多色の光を発光させることができる。発光ダイオードの用途として、早期は指示灯、表示板として使用してきたが、白色光の発光ダイオードが開発された後、近年は照明ランプとして使用されている。また、発光ダイオードがタングステンフィラメントを使用していないため、高熱を発生しない。高熱を発生しないため、直接に手で触ることができるので、他の光源を用いられた灯具に比べてみると、より安全である。
【０００４】
発光ダイオードの種類が多く、従来は情報型家電の指示光源、屋内表示、大形看板、交通信号灯として応用されてきた。近年は、発光ダイオードを街灯に応用し始めたが、その発光効率が３５％にとどまっているので、より多くの発光ダイオードを組み込まなければ、必要な照度を得ることができない。また、発光ダイオードの照射角は、発光ダイオードの表面に垂直な方向にのみ集中し、且つその照射角を改変することが難しいので、照明の範囲が限られている。
【０００５】
台湾特許第Ｍ３８３０８２号（特許文献１）、照明角度調節可能な発光ダイオードを光源とする街灯は、主支持具と、一端が第１締付具により主支持具に回転可能に固定され、且つ前記主支持具の背面にＬＥＤ光源が取り付けられる基板と、前記主支持具と前記基板との間に取り付けられ、且つ一端が第２締付具により前記主支持具に回転可能に固定される調節支持具とを含む。前記基板と前記調節支持具との間には、固定支持具が設けられている。前記第１締付具と前記第２締付具が回転するとき、前記固定支持具が前記基板の角度を調節することにより、照明角度を調節する。照明角度を調節した後、前記固定支持具と前記調節支持具との間の摩擦力によって、前記第１締付具と前記第２締付具とを固定させるとともに、前記基板を固定させる。
【０００６】
もう一つの台湾特許第Ｍ４０４３１４号（特許文献２）、ＬＥＤ街灯及び仰角制御装置は、台湾電力会社から１１０ボルトの電気を受ける電源と、前記電源の電気を全波整流、除波して略直流の電気を得、且つこの電気を定電流電源変換器の直流入力電源とする整流平滑回路と、前記電源の電気を整流、除波して得た直流電源を安定な出力電気に変えて、発光ダイオードの電源とする定電流電源変換器と、高輝度の発光ダイオードチップで組み合わされる発光ダイオード光源制御モジュールと、回路の駆動に用いられる４つのパワースイッチを有し、且つワンチップからのパルス幅変調駆動信号によりステッピングモータを駆動して、発光ダイオードランプシェードの仰角を制御するステッピングモータ及びその駆動回路と、前記ステッピングモータと前記発光ダイオード光源制御モジュールとが設けられているベースを含み、前記ベースは、前記ステッピングモータ及びその駆動回路により、前記発光ダイオードランプシェードの仰角を調節し、前記発光ダイオード光源の投射角度を改変する発光ダイオードランプシェードの仰角制御モジュールと、システムの制御センターであり、信号モジュールの検出信号を受信して内蔵のプログラムによって演算した後に、パルス幅変調信号とステッピングモータ駆動信号とを送信して、前記定電流電源変換器の出力電圧及び前記ステッピングモータの正逆転を制御するワンチップコントローラーと、クロック信号装置とセンサー装置とがそれぞれ設けられ、且つ前記装置の検出信号をそれぞれ前記ワンチップコントローラーに伝送する信号モジュールと、を備える。
【０００７】
上述した特許には、発光ダイオード街灯の照明角度を調節する機構に関わる技術的事項が公開されている。しかし、上述した調節構造は構造が複雑であるため、生産コストが大幅に高くなる。発光ダイオードのコストが従来照明手段より高いだけでなく、照明角度調節構造によりコストが高くなるので、発光ダイオード街灯の販売価格が高くなることを避けることができない。これにより、発光ダイオード街灯の市場を順調に開拓することが非常に難しい。従って、発光ダイオード街灯の角度調節機構を簡素化して、装置のコストを軽減することは、業界が克服しようとする課題になっている。
【０００８】
上述した通り、従来技術は前記問題を有効に解決および克服することができない。上述問題点を解決するため、考案者は次のような本考案を提供する。
【先行技術文献】
【特許文献】
【０００９】
【特許文献１】台湾特許第Ｍ３８３０８２号
【特許文献２】台湾特許第Ｍ４０４３１４号
【考案の概要】
【考案が解決しようとする課題】
【００１０】
本考案で解決したい技術課題は、発光ダイオード街灯の照明角度調節機構を簡素化することにある。
【課題を解決するための手段】
【００１１】
前記問題を解決するために提供する本考案の照明角度調節可能な発光ダイオード灯具は、少なくとも一つのベース体と、少なくとも２つの光源装置と、少なくとも２つの接続装置と、少なくとも一つの固定装置と、を備える。ベース体の両端は、導電部と組付け部とが形成されている。光源装置は、基板と複数の発光ダイオードとを含み、複数の発光ダイオードは、基板の一表面に取り付けられ、光源装置は、基板の両端に形成されている少なくとも一つの第１接続部と第２接続部とを有する。各接続装置がそれぞれベース体の組付け部と光源装置の第１接続部との間に取り付けられているので、光源装置がベース体の組付け部に相対して回転し、光源装置の角度が９０度、または９０度以上になることができる。各固定装置の両端がそれぞれ少なくとも２つの光源装置の第２連結部に接続されているので、少なくとも２つの光源装置がベース体の組付け部に相対して回転することを防ぐことができる。
【００１２】
上述した本考案の照明角度調節可能な発光ダイオード灯具において、基板から離れた光源装置の第２接続部の遠端に係合端が形成されている。少なくとも一つの固定装置は胴体部と２つの固定部とを有し、２つの固定部はそれぞれ胴体部の両端に形成され、固定部には複数の係合溝が形成されている。光源装置の第２接続部の係合端を固定装置の固定部が備える複数の係合溝のいずれかに係合させることにより、少なくとも２つの光源装置がベース体の組付け部に相対して回転することを防ぐことができる。
【００１３】
少なくとも一つの固定装置の胴体部と固定部との間には、９０度、または９０度以上の夾角が形成されている。
【００１４】
固定部が備える複数の係合溝は、等間隔に配列され、かつ互いに平行する。
【００１５】
他の実施例に係る照明角度調節可能な発光ダイオード灯具において、少なくとも一つの固定装置は２つの固定具を有し、２つの固定具は互いに摺動するように連結されている。各固定具の両端には、固定部と滑り溝とが形成され、固定具の固定部が光源装置の第２接続部に固定されている。各固定装置が備える２つの滑り溝は、互いに貫通され、且つ一つの固定組が２つの固定具が備える２つの滑り溝に係合されているので、２つの固定具が自由に摺動することを避けることができる。
【００１６】
上述した本考案の照明角度調節可能な発光ダイオード灯具において、各固定具の固定部は固定穴を有し、光源装置の第２接続部はねじ穴である。固定装置は少なくとも２つの締付具を含み、締付具はねじである。締付具が固定部の固定穴を通過した、光源装置の第２接続部に係合される。
【００１７】
上述した本考案いずれかの実施例において、接続装置は可撓性材料で構成された。接続装置の両端がそれぞれベース体の組付け部と光源装置の第１接続部に接続されることによって、光源装置がベース体の組付け部に相対して回転することができる。
【００１８】
ベース体の組付け部は、少なくとも４組の取付け穴を有し、組付け部の一端には取付け穴が２つずつ形成されている。取付け穴はねじであり、光源装置は２つの第１接続部を有し、第１接続部には接続穴が形成され、接続装置にはそれぞれ２つの第１貫通穴と２つの貫通穴とが形成されている。２つの第１貫通穴は接続装置の一端に形成され、２つの第２貫通穴は接続装置の他端に形成されている。接続装置は２つの組付け具と２つの接続具とを含み、組付け具はねじであり、接続具はボルトである。２つの組付け具は、第１貫通穴を通過した後、組付け部一端が備える２つの取付け穴に係合され、２つの接続具は、光源装置が備える２つの第１接続部の２つの取付け穴を通過した後、２つの締め具に係合される。締め具は、雌ねじである。
【００１９】
上述した本考案いずれかの実施例において、接続装置は、第１枢接部と、第２枢接部と、軸具とを含み、接続装置の第１枢接部の一端が光源装置の第１接続部に接続されている。接続装置の第２枢接部は、ベース体が備える組付け部の周縁に形成されている。軸具が第１枢接部と第２枢接部とに挿入されていることによって、光源装置がベース体の組付け部に相対して回転することができる。
【００２０】
光源装置は２つの第１接続部を有し、第１接続部は接続穴を有する。接続装置の第１枢接部は２つの締め付け穴を含み、締め付け穴はねじ穴である。接続装置は２つの接続具をさらに有し、接続具はねじである。２つの接続具を光源装置の２つの第１接続部が備える２つの接続穴を通過した後、接続装置の第１枢接部が備える２つの締め付け穴に係合される。
【００２１】
接続装置の第１枢接部は、２つの締め付け穴の遠端に形成されている２つの枢支耳を有し、各枢支耳は第１枢接穴を有する。第２枢接部は、２つの枢支耳の間に位置し、かつ第２枢接穴を有する。第２枢接穴と２つの第１枢接穴とが貫通され、軸具は、第１枢接部が備える２つの枢支耳と、第２枢接部の第２枢接穴とに挿入されている。
【考案の効果】
【００２２】
本考案の照明角度調節可能な発光ダイオード灯具により、以下のような主な技術的効果を得ることができる。即ち、本考案の照明角度調節可能な発光ダイオード灯具を街灯に応用する場合、街灯の様々な高さに基づいて、光源装置とベース体との間の角度を調節することによって、最適な照明範囲を得ることができる。また、接続装置が設置されていることによって、光源装置をベース体に相対して回転させて、光源装置の角度を調節することができる。光源装置の第２接続部の係合端を固定装置の固定部の胴体部に接近する係合溝に係合させるとき、小さい角度が得られる。逆に、光源装置の第２接続部の係合端を固定装置の固定部の胴体部から離れた遠端の係合溝に係合させるときは、大きい角度が得られる。必要な角度まで角度を調節した後に、固定部の係合溝に挿入されている係合端を湾曲させることにより、光源装置が固定装置から離脱することを防ぐことができる。本考案の照明角度調節可能な発光ダイオード灯具は、構造が簡単で、素早く組み立てることができるとともに、素早く角度を調節することができる利点を有している。
【００２３】
本考案の他の実施例に係る照明角度調節可能な発光ダイオード灯具において、固定装置は２つの固定具を含み、２つの固定具は相対的に摺動するように連結されている。固定具の両端は固定具と滑り溝とが形成され、固定具の固定部には固定穴が形成されている。固定装置は少なくとも２つの締め付け具を含み、締め付け具が固定部の固定穴を通過した後、光源装置の第２接続部に係合される。２つの固定具を互いに摺動させるとき、光源装置が固定具によって連動され、ベース体の組付け部に相対して回転するので、角度を調節することができる。
【００２４】
その他目的、長所ならび本考案の新規性は以下の詳細説明及び添付された関連図面により、より明確にすることができる。
【図面の簡単な説明】
【００２５】
【図１】本考案の第一実施例に係る照明角度調節可能な発光ダイオード灯具を示す立体外観図である。
【図２】図１の照明角度調節可能な発光ダイオード灯具を示す立体分解図である。
【図３】本考案の第一実施例に係る照明角度調節可能な発光ダイオード灯具において、第２接続部の係合端を胴体部に接近する固定装置の係合溝に係合させて、小さい角度を形成する動作を示す概略図である。
【図４】本考案の第一実施例に係る照明角度調節可能な発光ダイオード灯具において、第２接続部の係合端を胴体部から離れた固定装置の係合溝に係合させて、大きい角度を形成する動作を示す概略図である。
【図５】本考案の第一実施例に係る照明角度調節可能な発光ダイオード灯具を様々な高さを有する街灯に応用することを示す概略図である。
【図６】本考案の第二実施例に係る照明角度調節可能な発光ダイオード灯具を示す立体分解図である。
【図７】本考案の第二実施例に係る照明角度調節可能な発光ダイオード灯具において、２つの固定具を近づけて小さい角度を形成する動作を示す概略図である。
【図８】本考案の第二実施例に係る照明角度調節可能な発光ダイオード灯具において、２つの位置決め具を遠ざけて大きい角度を形成する動作を示す概略図である。
【考案を実施するための形態】
【００２６】
本考案に係る技術、手段ならびに考案の効果については、次のような２つの好ましい実施例と図式を参照しながら詳細に説明する。これらは本考案を説明するものであるが、本考案の請求の範囲がこのような構造にのみ限定されるものではない。
【実施例１】
【００２７】
図１〜図５は、本考案の第１実施例に係る照明角度調節可能な発光ダイオード灯具１の立体外観図と、立体分解図と、使用態様図とをそれぞれ示す図である。本考案の第１実施例に係る照明角度調節可能な発光ダイオード灯具１は、ベース体１０と、少なくとも２つの光源装置２０と、少なくとも２つの接続装置３０と、少なくとも１つの固定装置４０と、を備える。本実施例において、本考案の照明角度調節可能な発光ダイオード灯具１は、４つの光源装置２０と、４つの接続装置３０と、２つの固定装置４０とを含める。
【００２８】
前記ベース体１０の縦方向の両端は、導電部１１と組付け部１２とを有し、導電部１１は、街灯２に電気接続され、組付け部１２は、少なくとも４組の取付け穴１２１を有する。本実施例において、組付け部１２は、８つの取付け穴１２１を具備し、かつ各取付け穴１２１はねじ穴である。各組付け部１２の一端には、取付け穴１２１が２つずつ形成されている。
【００２９】
各光源装置２０は、基板２１と、複数の発光ダイオード２２とを含み、複数の発光ダイオード２２は、基板２１の一表面に取り付けられている。基板２１の縦方向に沿う各光源装置２０の両端には、少なくとも一つの第１接続部２３と、一つの第２接続部２４とが形成されている。本実施例において、各光源装置２０には、２つの第１接続部２３が設けられ、かつ各第２接続部２４は、可撓性材料で形成された。第１接続部２３の延伸方向と基板２１の延伸方向とが略垂直であり、各第１接続部２３には、第１接続穴２３１が形成されている。各光源装置２０の第２接続部２４には、基板２１の一端から離れる縦方向へ突出した係合端２４１が形成されている。各光源装置２０は、ケーシング２５と、放熱フィン２６とをさらに含み、ケーシング２５は、複数の発光ダイオード２２が取り付けられていない基板２１の反対面に設けられ、放熱フィン２６は、基板２１とケーシング２５との間に取り付けられて、複数の発光ダイオード２２が稼働するときに発生する熱を伝導する。
【００３０】
前記接続装置３０をベース体１０の組付け部１２と光源装置２０の第１接続部２３との間に取り付けることによって、光源装置２０をベース体１０の組付け部１２に相対して自由に回転させて、光源装置２０の角度θ１を調節することができる。本実施例において、接続装置３０は、可撓性材料で形成された。接続装置３０の両端は、それぞれベース体１０の組付け部１２と、光源装置２０の第１接続部２３に連結されている。各接続装置３０は、２つの第１貫通穴３１と、２つの第２貫通穴３２とを有し、２つの第１貫通穴３１は、接続装置３０の一端に形成され、２つの第２貫通穴３２は、接続装置３０の他端に形成されている。各接続装置３０は、２つの組付け具３３と、２つの接続具３４とをさらに含み、組付け具３３は、ねじであり、接続具３４は、ボルトである。２つの組付け具３３は、２つの第１貫通穴３１を通過した後、組付け部１２一端に形成されている２つの取付け穴１２１に係合され、２つの接続具３４は、光源装置２０が備える２つの第１接続部２３の２つの接続穴２３１と、接続装置３０の第２貫通穴３２とを通過した後、２つの締め具３５に係合される。本実施例において、締め具３５はナットである。上述した構造により、光源装置２０をベース体１０の組付け部１２に相対して自由に回転させて、光源装置２０の角度θ１を９０度より大きくするか、或いは９０度にすることができる。
【００３１】
各固定装置４０の両端は、それぞれ２つの光源装置２０の第２接続部２４に連結されている。このような固定構造によって、光源装置２０がベース体１０の組付け部１２に相対して回転することを防げる。固定装置４０は、胴体部４１と２つの固定部４２とを有し、２つの固定部４２は、それぞれ胴体部４１の両端に形成されている。胴体部４１と固定部４２との間には、９０度、または９０度以上の夾角θ２が形成されている。固定部４２には、複数の係合溝４２１が形成され、複数の係合溝４２１は、等間隔に配列され、かつ互いに平行する。光源装置２０の第２接続部２４の係合端２４１を、固定装置４０の固定部４２が備える複数の係合溝４２１のいずれかに係合させる。即ち、各光源装置２０の第２接続部２４の係合端２４１を異なる係合端４２１にそれぞれ係合させることにより、光源装置２０とベース体１０の組付け部１２との間の角度θ１を調節し、４つの光源装置２０がベース体１０の組付け部１２に相対して自由に回転することを避けることができる。
【００３２】
本実施例において、本考案の照明角度調節可能な発光ダイオード灯具１は、２つの固定装置４０を含める。
【００３３】
各固定装置４０の胴体部４１には、取付け用穴４１１が設けられている。２つの固定装置４０の胴体部４１は、各自の取付け用穴４１１が貫通するように縦方向に重畳されている。
【００３４】
本考案の照明角度調節可能な発光ダイオード灯具１は、固定組５０をさらに含み、固定組５０は、第１固定具５１と第２固定具５２とを含んでいる。本実施例において、第１固定具５１は、ボルトであり、第２固定具５２は、ナットである。第１固定具５１が２つの固定装置４０の胴体部４１にそれぞれ形成されている取付け用穴４１１に貫通した後、第２固定具５２に係合される。これによって、互いに重なっている２つの固定装置４０が十字形に配列される。
【００３５】
本考案の照明角度調節可能な発光ダイオード灯具１を街灯２に応用する場合、街灯２の様々な高さに基づいて、光源装置２０とベース体１０との間の角度θ１を調節することによって、最適な照明範囲を得ることができる。且つ、接続装置３０が設けられていることにより、ベース体１０に相対して光源装置２０を自由に回転させて、光源装置２０の角度θ１を自由に調節することができる。光源装置２０の第２接続部２４の係合端２４１を固定装置４０の胴体部４１に接近する固定部４２の係合溝４２１に係合させるとき、小さい角度θ１が得られる（図３に示す通りである）。逆に、光源装置２０の第２接続部２４の係合端２４１を固定装置４０の胴体部４１から離れた遠端の係合溝４２１に係合させるときは、大きい角度θ１が得られる（図４に示す通りである）。必要な角度まで角度θ１を調節した後、固定部４２の係合溝４２１に入っている係合端２４１を湾曲させて、光源装置２０が固定装置４０から離脱できないようにする。本考案の照明角度調節可能な発光ダイオード灯具１は、構造が簡単で、素早く組み立てることができる利点と、素早く角度を調節することができる利点を有している。
【実施例２】
【００３６】
図６〜図８は、本考案の第二実施例に係る照明角度調節可能な発光ダイオード灯具１ａの立体分解図と、動作態様図とを示す図である。本考案の第２実施例の構造は、第１実施例の構造とほぼ同じである。本考案の第二実施例に係る照明角度調節可能な発光ダイオード灯具１ａは、ベース体１０ａと、少なくとも２つの光源装置２０ａと、少なくとも２つの接続装置３０ａと、少なくとも一つの固定装置４０ａと、を備える。本実施例において、本考案の照明角度調節可能な発光ダイオード灯具１ａは、４つの光源装置２０ａと、４つの接続装置３０ａと、２つの固定装置４０ａとを含める。
【００３７】
ベース体１０ａは、両端に形成されている導電部１１ａと、組付け部１２ａとを有し、各光源装置２０ａは、基板２１ａと、複数の発光ダイオード２２ａとを含んでいる。複数の発光ダイオード２２ａは、基板２１ａの一表面に取り付けられ、基板２１ａの縦方向に沿う各光源装置２０の両端には、少なくとも一つの第１接続部２３ａと、一つの第２接続部２４ａが形成されている。本実施例において、各光源装置２０ａには、２つの第１接続部２３ａが設けられ、かつ第２接続部２４ａはねじ穴である。第１接続部２３ａの延伸方向と基板２１ａの延伸方向とが垂直であり、各第１接続部２３ａには、第１接続穴２３１ａが形成されている。
【００３８】
各接続装置３０ａは、第１枢接部３１ａと、第２枢接部３２ａと、軸具３３ａとを含む。各接続装置３０ａの第１枢接部３１ａの一端は、光源装置２０ａの第１接続部２３ａに連結され、各接続装置３０ａの第２枢接部３２ａは、ベース体１０ａの組付け部１２ａの周縁に形成され、接続装置３０ａの第１枢接部３１ａは、締め付け穴３１１ａを含む。本実施例において、締め付け穴３１１ａは、ねじ穴である。各接続装置３０ａは、２つの接続具３４ａをさらに含み、本実施例の接続具３４ａは、ねじである。２つの接続具３４ａは、光源装置２０ａが備える２つの第１接続部２３ａの２つの接続穴２３１ａを通過した後、接続装置３０ａの第１枢接部３１ａの２つの締め付け穴３１１ａに係合される。各接続装置３０ａの第１枢接部３１ａは、２つの締め付け穴３１１ａの反対端にある２つの枢支耳３１２ａを有し、各枢支耳３１２ａは、第１枢接穴３１３ａを有する。第２枢接部３２ａは、２つの枢支耳３１２ａの間に組み立てられ、かつ第２枢接穴３２１ａを有する。第２枢接穴３２１ａと２つの第１枢接穴３１３ａとは、同軸に貫通されている。軸具３３ａは、第１枢接部３１ａが備える２つの枢支耳３１２ａの２つの第１枢接穴３１３ａと、第２枢接部３２ａの第２枢接穴３２１ａとに挿入される。これにより、光源装置２０ａをベース体１０ａの組付け部１２ａに相対して回転させて、光源装置２０とベース体１０の組付け部１２との間に形成されている角度θ１を調節することができる。
【００３９】
各固定装置４０ａは、２つの固定具４１ａを含み、２つの固定具４１ａは、相対的に摺動するように連結されている。各固定具４１ａの両端には、固定部４２ａと、滑り溝４３ａとがそれぞれ形成され、各固定具４１ａの固定部４２ａは、光源装置２０ａの第２接続部２４ａに当接されている。各固定具４１ａの固定部４２ａには、固定穴４２１ａが形成され、各固定装置４０ａは、少なくとも２つの締め付け具４４ａを含む。本実施例において、締め付け具４４ａは、ねじである。締め付け具４４ａは、固定部４２ａの固定穴４２１ａを通過した後、光源装置２０ａの第２接続部２４ａに係合される。２つの固定具４１ａを相対的に摺動させるとき、光源装置２０ａが固定具４１ａに連動されるので、ベース体１０ａの組付け部１２ａを回転させて、角度θ１を調節することができる。各固定装置４０ａが備える２つの固定具４１ａの２つの滑り溝４３ａは、互いに貫通されている。
【００４０】
本実施例において、本考案の照明角度調節可能な発光ダイオード灯具１ａは、２つの固定装置４０ａを含み、各固定装置４０の滑り溝４３ａは互いに貫通されている。本考案の照明角度調節可能な発光ダイオード灯具１ａは、固定組５０ａをさらに含み、固定組５０ａは、第１固定具５１ａと第２固定具５２ａとを含んでいる。本実施例において、第１固定具５１ａは、ボルトであり、第２固定具５２ａは、ナットである。第１固定具５１ａは、２つの固定装置４０ａが備える固定具４１ａの滑り溝４３ａを通過した後、第２固定具５２ａに係合される。重なっている２つの固定装置４０ａが十字形に配置されているので、固定具４１ａが自由に摺動して、４つの光源装置２０ａがベース体１０ａの組付け部１２ａに相対して自由に回転することを避けることができる。
【００４１】
本考案の照明角度調節可能な発光ダイオード灯具により、以下のような主な技術的効果を得ることができる。即ち、本考案の照明角度調節可能な発光ダイオード灯具を街灯に応用する場合、街灯の様々な高さに基づいて、光源装置とベース体との間の角度を調節することによって、最適な照明範囲を得ることができる。また、接続装置が設置されていることによって、光源装置をベース体に相対して回転させて、光源装置の角度を調節することができる。光源装置の第２接続部の係合端を固定装置の固定部の胴体部に接近する係合溝に係合させるとき、小さい角度が得られる。逆に、光源装置の第２接続部の係合端を固定装置の固定部の胴体部から離れた遠端の係合溝に係合させるときは、大きい角度が得られる。必要な角度まで角度を調節した後に、固定部の係合溝に挿入されている係合端を湾曲させることにより、光源装置が固定装置から離脱することを防ぐことができる。本考案の照明角度調節可能な発光ダイオード灯具は、構造が簡単で、素早く組み立てることができるとともに、素早く角度を調節することができる利点を有している。
【００４２】
本考案の他の実施例に係る照明角度調節可能な発光ダイオード灯具において、固定装置は２つの固定具を含み、２つの固定具は相対的に摺動するように連結されている。固定具の両端は固定具と滑り溝とが形成され、固定具の固定部には固定穴が形成されている。固定装置は少なくとも２つの締め付け具を含み、締め付け具が固定部の固定穴を通過した後、光源装置の第２接続部に係合される。２つの固定具を互いに摺動させるとき、光源装置が固定具によって連動され、ベース体の組付け部に相対して回転するので、角度を調節することができる。
【００４３】
上述した本考案の照明角度調節可能な発光ダイオード灯具は、従来技術に公開されているものではなく、実用新案法に規定されている新規制、進歩成、及び産業上の利用価値を有しているので、実用新案出願を提出する。
【符号の説明】
【００４４】
１  照明角度調節可能な発光ダイオード灯具
１０  ベース体
１１  導電部
１２  組付け部
１２１  取付け穴
２０  光源装置
２１  基板
２２  発光ダイオード
２３  第１接続部
２３１  接続穴
２４  第２接続部
２４１  係合端
２５  ケーシング
２６  放熱フィン
３０  連結装置
３１  第１貫通穴
３２  第２貫通穴
３３  組付け具
３４  接続具
３５  締め具
４０  固定装置
４１  胴体部
４１１  取付け用穴
４２  固定部
４２１  係合溝
５０  固定組
５１  第１固定具
５２  第２固定具
１ａ  照明角度調節可能な発光ダイオード灯具
１０ａ  ベース体
１１ａ  導電部
１２ａ  組付け部
２０ａ  光源装置
２１ａ  基板
２２ａ  発光ダイオード
２３ａ  第１接続部
２３１ａ  接続穴
２４ａ  第２接続部
３０ａ  連結装置
３１ａ  第１枢接部
３１１ａ  締め付け穴
３１２ａ  枢支耳
３１３ａ  第１枢接孔
３２ａ  第２枢接部
３２１ａ  第２枢接孔
３３ａ  軸具
３４ａ  接続具
４０ａ  固定装置
４１ａ  固定具
４２ａ  固定部
４２１ａ  固定穴
４３ａ  滑り溝
４４ａ  締付具
５０ａ  固定組
５１ａ  第１固定具
５２ａ  第２固定具
２  街灯
θ１  角度
θ２  夾角  
【図１】
0003190186.tif 000003
【図２】
0003190186.tif 000004
【図３】
0003190186.tif 000005
【図４】
0003190186.tif 000006
【図５】
0003190186.tif 000007
【図６】
0003190186.tif 000008
【図７】
0003190186.tif 000009
【図８】
0003190186.tif 000010
【手続補正書】
【提出日】平成26年2月24日(2014.2.24)
【手続補正１】
【補正対象書類名】実用新案登録請求の範囲
【補正対象項目名】全文
【補正方法】変更
【補正の内容】
【実用新案登録請求の範囲】
【請求項１】
照明角度調節可能な発光ダイオード灯具であって、
導電部と組付け部とが両端に形成されているベース体と、
基板と、複数の発光ダイオードとを含み、前記複数の発光ダイオードが前記基板の一表面に設けられ、前記基板の両端には少なくとも一つの第１接続部と第２接続部とが形成されている、少なくとも２つの光源装置と、
前記ベース体の前記組付け部と前記光源装置の前記第１接続部との間に設けられ、前記光源装置を前記ベース体の前記組付け部に相対して回転させて、その角度を９０度、または９０度以上にする、少なくとも２つの接続装置と、
両端がそれぞれ少なくとも２つの光源装置の前記第２接続部に連結されて、少なくとも２つの光源装置が前記ベース体の前記組付け部に相対して回転することを防ぐ、少なくとも一つの固定装置とを備える照明角度調節可能な発光ダイオード灯具。
【請求項２】
前記基板から離れた前記光源装置の第２接続部の遠端には係合端が形成され、少なくとも一つの固定装置は胴体部と２つの固定部とを有し、前記２つの固定部はそれぞれ前記胴体部の両端に形成され、前記固定部には複数の係合溝が形成され、前記光源装置の第２接続部の係合端を前記固定装置の前記固定部が備える複数の係合溝のいずれかに係合させることにより、前記少なくとも２つの光源装置がベース体の組付け部に相対して回転することを防ぐことを特徴とする、請求項１に記載の照明角度調節可能な発光ダイオード灯具。
【請求項３】
前記少なくとも一つの固定装置の胴体部と前記固定部との間に９０度、または９０度以上の夾角が形成されていることを特徴とする、請求項２に記載の照明角度調節可能な発光ダイオード灯具。
【請求項４】
前記固定部の前記複数の係合溝は、等間隔に配列され、且つ互いに平行することを特徴とする、請求項２に記載の照明角度調節可能な発光ダイオード灯具。
【請求項５】
前記少なくとも一つの固定装置は２つの固定具を有し、前記２つの固定具は相対的に摺動するように連結されており、前記固定具の両端にはそれぞれ固定部と滑り溝が形成され、前記固定具の前記固定部は前記光源装置の前記第２接続部に固定され、前記固定装置の２つの滑り溝は互いに貫通されており、一つの固定組が前記２つの固定具の２つの滑り溝に挿入されていることにより、前記２つの固定具が勝手に摺動することを避けることを特徴とする、請求項１に記載の照明角度調節可能な発光ダイオード灯具。
【請求項６】
各固定具の固定部には固定穴が形成されており、前記固定装置は、少なくとも２つの締め付け具を含み、前記締め付け具は前記固定部の固定穴を通過した後、前記光源装置の前記第２接続部に係合されることを特徴とする、請求項５に記載の照明角度調節可能な発光ダイオード灯具。
【請求項７】
前記接続装置は可撓性材料で構成され、前記接続装置の両端はそれぞれ前記ベース体の前記組付け部と前記光源装置の前記第１接続部に接続されて、前記光源装置は前記ベース体の前記組付け部に相対して回転することができることを特徴とする、請求項１ないし６いずれかに記載の照明角度調節可能な発光ダイオード灯具。
【請求項８】
前記ベース体の前記組付け部は少なくとも４組の取付け穴を有しており、前記組付け部の一端には取付け穴が２つずつ形成され、前記光源装置は２つの前記第１接続部を有し、前記第１接続部には接続穴が形成され、前記接続装置にはそれぞれ２つの第１貫通穴と２つの貫通穴とが形成され、前記２つの第１貫通穴は前記接続装置の一端に形成され、前記２つの第２貫通穴は前記接続装置の他端に形成され、前記接続装置は２つの組付け具と２つの接続具とを含み、前記組付け具はねじであり、前記接続具はボルトであり、前記２つの組付け具は前記第１貫通穴を通過した後前記組付け部一端の前記２つの取付け穴に係合され、前記２つの接続具は前記光源装置の前記２つの第１接続部の前記２つの取付け穴を通過した後、２つの締め具に係合され、前記締め具は、雌ねじであることを特徴とする、請求項７に記載の照明角度調節可能な発光ダイオード灯具。
【請求項９】
前記接続装置は、第１枢接部と、第２枢接部と、軸具とを含み、前記接続装置の前記第１枢接部の一端は前記光源装置の前記第１接続部に接続され、前記接続装置の前記第２枢接部は前記ベース体の前記組付け部の周縁に形成され、前記軸具が前記第１枢接部と前記第２枢接部とに挿入されていることによって、前記光源装置が前記ベース体の前記組付け部に相対して回転することができることを特徴とする、請求項１ないし６いずれかに記載の照明角度調節可能な発光ダイオード灯具。
【請求項１０】
前記光源装置は、２つの第１接続部を有し、各第１接続部は接続穴を有し、各接続装置の第１枢接部は２つの締め付け穴を含み、各接続装置は２つの接続具をさらに含み、前記２つの接続具は前記光源装置の前記２つの第１接続部の２つの接続穴を通過した後、前記接続装置の前記第１枢接部の前記２つの締め付け穴に係合され、前記接続装置の前記第１枢接部は、前記２つの締め付け穴の反対端にある２つの枢支耳を有し、前記枢支耳は第１枢接穴を有し、前記第２枢接部は、前記２つの枢支耳の間に位置して第２枢接穴を有し、前記第２枢接穴と前記２つの第１枢接穴が貫通され、前記軸具が前記第１枢接部の前記２つの枢支耳の前記２つの第１枢接穴と前記第２枢接穴とに挿入されていることを特徴とする、請求項９に記載の照明角度調節可能な発光ダイオード灯具。